(57)【要約】【課題】誤操作を容易に抑制することが可能な健康器具を提供する。【解決手段】操作器２１には、視覚的特徴を有するダミースイッチ３０が設けられ、そのダミースイッチ３０の操作により、該ダミースイッチ３０部分が光る、表示部２７にアニメーション表示がされる等、視覚的に作用させるようになっている。そのため、子供等の使用者のダミースイッチ３０への関心を惹くことが可能である。【選択図】図２
2009082176.tif 000002
【特許請求の範囲】
【請求項１】
操作部に設けられた各種操作スイッチの操作により作動する可動部を備えた健康器具であって、
前記操作部には、操作しても前記可動部が作動しないダミースイッチが設けられ、該ダミースイッチは、そのスイッチ自身又はその操作により視覚的に作用させる、若しくはその操作により聴覚的に作用させることを特徴とする健康器具。
【請求項２】
請求項１に記載の健康器具において、
前記ダミースイッチは、前記操作スイッチが設けられた操作面に設けられたことを特徴とする健康器具。
【請求項３】
請求項１又は２に記載の健康器具において、
前記ダミースイッチの操作に基づいて誤操作を判定する誤操作判定手段と、
その誤操作判定に基づき前記可動部の作動を停止し、以後の前記操作スイッチの操作を無効とする作動停止手段とを備えたことを特徴とする健康器具。
【発明の詳細な説明】
【技術分野】
【０００１】
本発明は、操作部の操作により作動する可動部を有する健康器具に関するものである。
【背景技術】
【０００２】
この種の健康器具において例えばマッサージ椅子では、背もたれに組み込まれた可動部としてのマッサージ機構を有し、そのマッサージ機構は操作部に設けられた各種操作スイッチの操作に応じて作動して、着座した使用者にマッサージを行うようになっている（例えば特許文献１参照）。この特許文献１のようなマッサージ椅子では、マッサージ椅子の本来の使用でない作動（例えば、子供のいたずら等）を防止するために、電源スイッチのオフ状態をロックするための施錠スイッチが設けられている。この施錠スイッチのロックを解除しないとマッサージ椅子の電源をオンにすることはできないため、子供が簡単に操作できないようになっている。
【特許文献１】特開平９−１４０７５７号公報
【発明の開示】
【発明が解決しようとする課題】
【０００３】
ところで、上記のような健康器具では、施錠スイッチのロックが容易に解除されないように、電源スイッチ及び施錠スイッチは目の届きにくいマッサージ椅子の脚部周辺や背もたれ部の背面等に設けられていることもあいまって、マッサージ椅子を使用後に毎回電源スイッチのオフ及び施錠スイッチのロックをするのが面倒であり、その点においてなお、改善の余地があった。
【０００４】
本発明は、上記課題を解決するためになされたものであって、その目的は、誤操作を容易に抑制することが可能な健康器具を提供することにある。
【課題を解決するための手段】
【０００５】
上記課題を解決するために、請求項１に記載の発明は、操作部に設けられた各種操作スイッチの操作により作動する可動部を備えた健康器具であって、前記操作部には、操作しても前記可動部が作動しないダミースイッチが設けられ、該ダミースイッチは、そのスイッチ自身又はその操作により視覚的に作用させる、若しくはその操作により聴覚的に作用させることをその要旨とする。
【０００６】
この発明では、操作部には、操作しても可動部が作動しないダミースイッチが設けられ、該ダミースイッチは、そのスイッチ自身又はその操作により視覚的に作用させる、若しくはその操作により聴覚的に作用させるように構成される。つまり、ダミースイッチは例えば色、形状等の視覚的特徴を有し、また、例えばダミースイッチの操作により視覚的若しくは聴覚的に作用させる。従って、子供等の使用者のダミースイッチへの関心を惹くことが可能であるため、健康器具の本来の使用でない作動を起こす誤操作を防止するための機構を別途必要としないで、誤操作を容易に抑制することが可能である。
【０００７】
請求項２に記載の発明では、請求項１に記載の健康器具において、前記ダミースイッチは、前記操作スイッチが設けられた操作面に設けられたことをその要旨とする。
この発明では、ダミースイッチは各種操作スイッチが設けられた操作面に設けられるため、ダミースイッチに目を引き易くすることができる。
【０００８】
請求項３に記載の発明では、請求項１又は２に記載の健康器具において、前記ダミースイッチの操作に基づいて誤操作を判定する誤操作判定手段と、その誤操作判定に基づき前記可動部の作動を停止し、以後の前記操作スイッチの操作を無効とする作動停止手段とを備えたことをその要旨とする。
【０００９】
この発明では、ダミースイッチの操作に基づいて誤操作を判定する誤操作判定手段と、その誤操作判定に基づき可動部の作動を停止し、以後の操作スイッチの操作を無効とする作動停止手段とを備える。従って、ダミースイッチの操作に基づいて誤操作を監視するため、誤操作を確実に抑制することが可能である。
【発明の効果】
【００１０】
本発明によれば、健康器具の誤操作を容易に抑制することが可能である。
【発明を実施するための最良の形態】
【００１１】
以下、本発明を具体化した一実施形態を図面に従って説明する。
図１に示すマッサージ椅子１０において、床面に載置される脚部１１にはマッサージ椅子１０の幅方向両端にそれぞれ配置された一対の側壁１２が支持固定されるとともに、それら側壁１２間には使用者が着座可能な座部１３が固定されている。その座部１３の後部には、着座した使用者が背中をもたれ掛けさせるための背もたれ部１４が傾動可能に設けられるとともに、背もたれ部１４内部には使用者の肩から背中にかけてマッサージ可能な可動部としてのマッサージ機構１５が組み込まれている。また、各側壁１２の上方には使用者の腕や肘等を置くための肘掛け１７が設けられている。
【００１２】
図１において奥側の側壁１２に支持されるとともに肘掛け１７の上方まで延びる保持部１８には、前記マッサージ機構１５を操作するための扁平箱状の操作器（操作部）２１が着脱可能に保持されている。操作器２１の操作面２１ａには、図２に示すように、この操作器２１自体の作動を起動又は停止させるための作動スイッチ（ｓｗ）２２と、マッサージ椅子１０に対して所望の動作をさせるための複数のスイッチとからなる各種操作スイッチが設けられている。前記複数のスイッチは、ユーザ選択スイッチ２３、コース選択スイッチ２４、微調節スイッチ２５及び付加動作スイッチ２６等から構成されている。また、このような各種操作スイッチが設けられた操作面２１ａの中央部には、マッサージ内容等を表示する報知手段としての表示部２７が設けられるとともに、操作器２１には音声案内用のスピーカ２８が設けられている。
【００１３】
尚、ユーザ選択スイッチ２３は、マッサージ中に調節した使用者の好みのマッサージ内容を登録し、その登録内容でマッサージを始めるためのものであり、コース選択スイッチ２４は、予め設定されたコースに沿ってマッサージを行うためのものである。また、微調節スイッチ２５はマッサージ機構１５の接触圧、マッサージ位置及び背もたれ部１４の傾斜角度等の調節を行うためのものであり、付加動作スイッチ２６はマッサージ動作に変化を加えるためのものである。
【００１４】
このような各種操作スイッチは、図３に示すように、複数の階層に分けられている。本実施形態では、作動スイッチ２２は第１階層Ｃ１に、ユーザ選択スイッチ２３及びコース選択スイッチ２４は第２階層Ｃ２に、微調節スイッチ２５及び付加動作スイッチ２６は第３階層Ｃ３に、そして、その他のスイッチは第４階層Ｃ４にそれぞれ分けられている。操作器２１が作動していないときには、第１階層Ｃ１の作動スイッチ２２のみが有効化スイッチであり、それより下位階層のスイッチ群は全て無効化されている。無効化された階層のスイッチ操作はマッサージ椅子１０の作動に反映されないようになっている。そして、有効化された階層のスイッチが操作されると、その操作に応じてマッサージ椅子１０が作動されるとともに、それより１つ下の階層に属するスイッチ群が有効化されるようになっている。
【００１５】
また、図２に示すように、操作面２１ａ上の左下位置には、上記した各種操作スイッチと比べて大きな形状をなすダミースイッチ３０が設けられている。ダミースイッチ３０の表面には目を引くような模様（イラスト）が描画されている。操作器２１はこのようなダミースイッチ３０の操作により、そのダミースイッチ３０部分が光るように構成されるとともに、表示部２７にアニメーション表示がされるようになっている。また、ダミースイッチ３０の操作による操作信号は誤操作判定手段及び作動停止手段としての制御部３１に出力されるが、マッサージ椅子１０の作動に反映されないようになっている。
【００１６】
このような操作器２１において、有効化された各種操作スイッチが操作されると、その操作に応じた信号が制御部３１に出力され、制御部３１はその信号に基づいてマッサージ機構１５を駆動する駆動モータ１５ａや背もたれ部１４等のマッサージ椅子１０の各部を作動させるようになっている。一方、ダミースイッチ３０を含む無効化されている各種操作スイッチ（以下、無効化スイッチという）が操作されると、その信号は制御部３１に出力され、その信号に基づき制御部３１のカウンタ３２は無効化スイッチの操作回数をカウントするようになっている。また、このカウンタ３２は、無効化スイッチのカウントとは別に、作動スイッチ２２の操作回数もカウントするようになっている。また、制御部３１には計時するためのタイマ３３が設けられている。尚、マッサージ椅子１０に設けられた主電源スイッチ３４の操作によりマッサージ椅子１０全体の主電源のオン／オフがなされるようになっている。
【００１７】
このようなマッサージ椅子１０において、無効化スイッチの操作回数ｎに基づく誤操作判定処理について図４のフローチャートに従って説明する。
図４に示すように、マッサージ椅子１０の主電源がオンされると、ステップＳ１では制御部３１はタイマ３３の計時時間ｔとカウンタ３２による無効化スイッチの操作回数ｎとをそれぞれ初期化（ｔ＝０、ｎ＝０）し、ステップＳ２に進む。ステップＳ２で制御部３１が作動スイッチ２２の操作信号を受けるとステップＳ３に進み、ステップＳ３でタイマ３３による計時がスタートするとともに無効化スイッチの操作回数ｎ＝１とし、ステップＳ４に進む。ステップＳ４では、制御部３１は作動スイッチ２２の操作信号を受けると、ステップＳ６に進み、このステップＳ６でカウンタ３２は無効化スイッチの操作回数ｎに１を加算し、ステップＳ７に進む。ステップＳ７では、無効化スイッチの操作回数ｎが所定の累積操作回数Ｎまで達したか否かを判別する。本実施形態では、所定時間Ｔは３０秒、累積操作回数Ｎは６回にそれぞれ設定されている。
【００１８】
ステップＳ７において、無効化スイッチの操作回数ｎが累積操作回数Ｎに達していないと判定すると、ステップＳ５に進み、タイマ３３の計時時間ｔが予め設定された所定時間Ｔに達する否かを判別する。計時時間ｔが所定時間Ｔに達していないと判定すると、ステップＳ４（作動スイッチ２２の操作待ちの状態）に戻る。一方、計時時間ｔが所定時間Ｔに達したと判定すると、前記ステップＳ１に戻り、計時時間ｔ及び無効化スイッチの操作回数ｎがともにリセット（初期化）される。また、ステップＳ３以降において、作動スイッチ２２が操作されないまま時間が経過し、タイマ３３の計時時間ｔが所定時間Ｔに達した場合においても、ステップＳ１に戻り、タイマ３３の計時時間ｔ及び無効化スイッチの操作回数ｎがともにリセットされる。
【００１９】
一方、ステップＳ７において、無効化スイッチの操作回数ｎが累積操作回数Ｎに達したと判定すると、ステップＳ８で制御部３１は誤操作と判定し、ステップＳ９へ進む。ステップＳ９では、制御部３１はマッサージ機構１５の作動を停止する（作動中の場合）とともに、操作器２１に報知許可信号を出力する。操作器２１はこの信号を受け、全ての操作スイッチの操作を無効とし、表示部２７に誤操作判定による作動停止を示すメッセージを表示するようになっている。尚、この誤操作判定による作動停止状態は、主電源スイッチ３４を一旦オフした後、該スイッチを再びオンすることで解除されるようになっている。
【００２０】
このようなマッサージ椅子１０では、マッサージ椅子１０の主電源がオンのとき、例えば子供のいたずら等によりマッサージ椅子１０の本来の使用でない作動を起こした場合に、その操作を誤操作と判定して作動停止する。そのため、誤操作を行わせない機構を別途必要とせず、スイッチ操作で誤操作を監視することができるので、誤操作を容易に防止することが可能である。
【００２１】
次に、本実施形態の特徴的な作用効果を記載する。
（１）操作器２１には、視覚的特徴を有するダミースイッチ３０が設けられ、そのダミースイッチ３０の操作により、該ダミースイッチ３０部分が光る、表示部２７にアニメーション表示がされる等、視覚的に作用させるようになっている。そのため、子供等の使用者のダミースイッチ３０への関心を惹くことが可能であるため、マッサージ椅子１０の本来の使用でない作動を起こす誤操作を防止するための機構を別途必要としないで、誤操作を容易に抑制することが可能である。
【００２２】
（２）ダミースイッチ３０は各種操作スイッチが設けられた操作面２１ａに設けられるため、ダミースイッチ３０に目を引き易くすることができる。
（３）ダミースイッチ３０の操作に基づいて誤操作を判定する誤操作判定手段、及びその誤操作判定に基づきマッサージ機構１５等の可動部の作動を停止し、以後の各種操作スイッチの操作を無効とする作動停止手段としての制御部３１を備える。従って、ダミースイッチ３０の操作に基づいて誤操作を監視するため、誤操作を確実に抑制することが可能である。
【００２３】
尚、本発明の実施形態は、以下のように変更してもよい。
・上記実施形態において、ダミースイッチ３０の視覚的特徴はどんな形態でもよく、例えば図５に示すような模様としてもよい。また、上記実施形態では、ダミースイッチ３０の表面には目を引くようなイラストが描画されたが、これ以外に例えば、イラストが描かれたシールを貼り付けてもよく、また、ダミースイッチ３０表面のイラストをかたどった形状としてもよい。
【００２４】
・上記実施形態において、ダミースイッチ３０の操作により聴覚的に作用させるよう、例えばスピーカ２８から効果音、音楽又は音声が流れるように構成してもよい。
・上記実施形態では、ダミースイッチ３０は操作面２１ａ上の左下位置に設けられたが、操作面２１ａ上の別の位置でもよく、また、操作面２１ａ上以外の例えば操作器２１の側端部や上端部に設けてもよい。
【００２５】
・上記実施形態では、制御部３１はダミースイッチ３０を含む無効化スイッチの操作に基づいて誤操作を判定したが、ダミースイッチ３０の操作のみに基づいて誤操作を判定するように設定してもよい。
【００２６】
・上記実施形態では、ダミースイッチ３０は制御部３１と電気的に接続されたが、制御部３１と電気的に非接続としたダミースイッチとしてもよい。
・上記実施形態において、制御部３１の誤操作判定に基づきスピーカ２８から警報音や音声案内を出力するように構成してもよい。
【００２７】
・上記実施形態では、スピーカ２８は操作器２１に設けられたが、これ以外に例えば、マッサージ椅子１０本体に設けてもよい。
・上記実施形態では、操作部をマッサージ椅子１０本体から分離された操作器２１としたが、この操作器２１の形態に限定されるものではなく、例えば、マッサージ椅子１０の側壁１２等に一体に設けた操作部としてもよい。
【００２８】
・上記実施形態では、マッサージ椅子１０に適用したが、これ以外に例えば、図６に示すような揺動型運動装置６０に適用してもよい。揺動型運動装置６０は床面に載置された脚部６１の上端に可動部としての運動機構６２が設けられるとともに、その運動機構６２の上部には馬の背や鞍を模した形状で使用者が着座する座部６３が固定されている。そして、この運動機構６２は座部６３を前後方向及び左右方向に揺動するように構成されている。座部６３の上面前方（図において左側）には運動機構６２を操作するための操作部６４が設けられている。操作部６４の操作面６４ａには、図７に示すように、揺動型運動装置６０の起動、停止を行うための作動スイッチ６５、運動機構６２の動作状態を変更するための複数の動作選択スイッチ６６等からなる各種操作スイッチ、及び上記実施形態と同様なダミースイッチ７０が設けられている。この揺動型運動装置６０は、ハード的には上記実施形態のマッサージ椅子１０と相違するが、誤操作判定処理、作動停止処理等のソフト的な部分においては同様な処理を行うようになっており、上記実施形と同様の作用効果を得ることができる。
【図面の簡単な説明】
【００２９】
【図１】本実施形態における健康器具を示す斜視図。
【図２】マッサージ椅子の電気的構成図。
【図３】各種操作スイッチを階層的に示す説明図。
【図４】誤操作判定処理のフローチャート。
【図５】別例の操作器を示す平面図。
【図６】別例としての揺動型運動装置を示す側面図。
【図７】揺動型運動装置の操作部を示す平面図。
【符号の説明】
【００３０】
１０…健康器具としてのマッサージ椅子、１５…可動部としてのマッサージ機構、２１…操作部としての操作器、２１ａ、６４ａ…操作面、２２，６５…各種操作スイッチを構成する作動スイッチ、２３…各種操作スイッチを構成するユーザ選択スイッチ、２４…各種操作スイッチを構成するコース選択スイッチ、２５…各種操作スイッチを構成する微調節スイッチ、２６…各種操作スイッチを構成する付加動作スイッチ、２７…表示部、２８…スピーカ、３０，７０…ダミースイッチ、３１…誤操作判定手段及び作動停止手段としての制御部、６０…健康器具としての揺動型運動装置、６２…可動部としての運動機構、６４…操作部、６６…各種操作スイッチを構成する動作選択スイッチ。
【図１】
2009082176.tif 000003
【図２】
2009082176.tif 000004
【図３】
2009082176.tif 000005
【図４】
2009082176.tif 000006
【図５】
2009082176.tif 000007
【図６】
2009082176.tif 000008
【図７】
2009082176.tif 000009